【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
第１の情報処理装置であって、
コンテンツが記憶されている場所を特定するアドレスを含むコンテンツ情報を受信するコンテンツ情報受信手段と、
受信した前記コンテンツ情報の中から、１つ以上のコンテンツ情報をブラウザで選択できるようなブラウザ形式のデータを生成するブラウザ形式作成手段と、
前記ブラウザ形式に変換したコンテンツ情報を前記第１の情報処理装置とは異なる第２の情報処理装置に送信するコンテンツ情報送信手段と
前記第２の情報処理装置よりブラウザで選択されたコンテンツ情報、もしくは該選択されたコンテンツを識別するコンテンツ情報を受信し、前記コンテンツ情報を元に特定された前記アドレスに記憶されているコンテンツを指定して、指定したコンテンツに対する処理を実行するための処理情報を作成する処理情報作成手段と、
コンテンツを処理する装置に対して、前記処理情報を送信する処理情報送信手段と
を備えることを特徴とする第１の情報処理装置。
【請求項２】
コンテンツが記憶されている場所を特定するアドレスを含むコンテンツ情報を受信するコンテンツ情報受信手段と、
受信した前記コンテンツ情報の中から、１つ以上のコンテンツ情報をブラウザで選択できるようなブラウザ形式のデータを生成するブラウザ形式作成手段と、
前記ブラウザ形式に変換したコンテンツ情報をコンテンツの視聴予約を行うための予約端末に送信するコンテンツ情報送信手段と
前記予約端末よりブラウザで選択されたコンテンツ情報、もしくは該選択されたコンテンツを識別するコンテンツ情報を受信し、前記コンテンツ情報を元に特定された前記アドレスに記憶されているコンテンツを指定して、指定したコンテンツの再生を行うための視聴予約情報を作成する予約情報作成手段と、
コンテンツを再生する装置に対して、前記視聴予約情報を送信する予約情報送信手段と
を備えることを特徴とするコンテンツ視聴予約装置。
【請求項３】
前記ブラウザ形式作成手段は、前記受信したコンテンツ情報に対し、コンテンツ毎にコンテンツ指定識別子を生成し、前記コンテンツ指定識別子を前記ブラウザ形式に変換した前記コンテンツ情報に付加する予約情報作成手段を備えること
を特徴とする請求項２に記載のコンテンツ視聴予約装置。
【請求項４】
前記ブラウザ形式作成手段は、コンテンツ視聴開始位置を指定させるための記述を前記ブラウザ形式に変換した前記コンテンツ情報に付加し、
前記予約情報作成手段は、前記コンテンツ情報内に含まれるコンテンツ視聴開始位置を前記視聴予約情報に付加することを特徴とする請求項３に記載のコンテンツ視聴予約装置。
【請求項５】
視聴の中断または視聴の完了を示す情報を受信する視聴情報受信手段を備えることを特徴とする、請求項２から請求項４のいずれかに記載のコンテンツ視聴予約装置。
【請求項６】
前記予約情報作成手段は、前記視聴情報受信手段が視聴の中断を示す情報を受信した際に、視聴中断位置からの途中再生を行うための前記視聴予約情報を作成することを特徴とする請求項５に記載のコンテンツ視聴予約装置。
【請求項７】
前記予約情報作成手段は、前記視聴情報受信手段が視聴の完了を示す情報を受信した際に、視聴を完了したコンテンツの前記視聴予約情報を削除することを特徴とする請求項５又は６に記載のコンテンツ視聴予約装置。
【請求項８】
請求項２から７までのいずれか１項に記載のコンテンツ視聴予約装置から前記ブラウザ形式に変換したコンテンツ情報を取得し、
前記ブラウザ形式に変換した前記コンテンツ情報からコンテンツ指定情報を生成し、
前記コンテンツ指定情報を前記視聴予約装置に対して送信することを特徴とする予約端末。
【請求項９】
請求項２から７までのいずれか１項に記載の視聴予約装置から前記視聴予約情報を取得し、
前記視聴予約情報に含まれるコンテンツのアドレスからコンテンツを取得して再生することを特徴とするコンテンツ再生装置。
【請求項１０】
請求項２から７までのいずれか１項に記載のコンテンツ視聴予約装置と、請求項８に記載の予約端末と、請求項９に記載のコンテンツ再生装置及びコンテンツ蓄積装置とからなるコンテンツ視聴予約システム。
【請求項１１】
コンテンツが記憶されている場所を特定するアドレスを含むコンテンツ情報を受信するコンテンツ情報受信ステップと、
受信した前記コンテンツ情報の中から、１つ以上のコンテンツ情報をブラウザで選択できるようなブラウザ形式のデータを生成するブラウザ形式作成ステップと、
前記ブラウザ形式に変換したコンテンツ情報をコンテンツの視聴予約を行うための予約端末に送信するコンテンツ情報送信ステップと
前記予約端末よりブラウザで選択されたコンテンツ情報、もしくは該選択されたコンテンツを識別するコンテンツ情報を受信し、前記コンテンツ情報を元に特定された前記アドレスに記憶されているコンテンツを指定して、指定したコンテンツの再生を行うための視聴予約情報を作成する予約情報作成ステップと、
コンテンツを再生する装置に対して、前記視聴予約情報を送信する予約情報送信ステップと
を備えることを特徴とするコンテンツ視聴予約方法。
【請求項１２】
請求項１１に記載のコンテンツ視聴予約方法をコンピュータに実行させるためのプログラム。
【請求項１３】
請求項２に記載のコンテンツ視聴予約装置であって、
さらに、コンテンツを提供する機能を持つコンテンツ蓄積装置と、該コンテンツ蓄積装置からコンテンツを取得し、取得したコンテンツの再生を行う機能を持つ再生装置と、接続されている内部のネットワークに接続可能なインタフェースとを有することを特徴とするコンテンツ視聴予約装置。
【請求項１４】
さらに、前記視聴予約装置から前記コンテンツ蓄積装置内のコンテンツ情報を取得し、コンテンツ情報に基づいてコンテンツを選択して視聴予約を行う機能を持つ予約端末であってＨＴＭＬを解釈するブラウザを持つ予約端末が外部のネットワークを介して接続されていることを特徴とする請求項１３に記載のコンテンツ視聴予約装置。
【手続補正２】
【補正対象書類名】明細書
【補正対象項目名】発明の名称
【補正方法】変更
【補正の内容】
【発明の名称】情報処理装置、コンテンツ視聴予約装置、コンテンツ視聴予約システムおよびコンテンツ視聴予約方法
【手続補正３】
【補正対象書類名】明細書
【補正対象項目名】００５１
【補正方法】変更
【補正の内容】
【００５１】
予約端末２１が視聴予約装置２０に対してアクセスを行い、視聴予約の開始を要求すると（Ｓ２０１）、視聴予約装置２０のコンテンツ情報送信手段３は、ブラウザ形式保存部１２よりブラウザ形式コンテンツ情報を取得する。ブラウザ形式コンテンツ情報は、図８に示すように、ＨＴＭＬ形式で記述されている。コンテンツ情報送信手段３は、このブラウザ形式コンテンツ情報を、予約端末２１に対して送信する（Ｓ２０２）。
【手続補正４】
【補正対象書類名】明細書
【補正対象項目名】００６５
【補正方法】変更
【補正の内容】
【００６５】
再生装置２４においてコンテンツの再生を終了した場合（Ｓ４０１）、そのコンテンツ再生終了が、コンテンツの残りがある場合（中断）なのか、コンテンツの終端まで再生した場合（完了）なのかを判断する。コンテンツの再生の中断の場合（Ｓ４０２においてＹＥＳ）、再生装置２４の通信手段８１は、視聴予約装置２０に対し、コンテンツの再生の中断を示す情報と、中断したコンテンツを指定する情報、および中断した位置の情報を通知する（Ｓ４０３）。視聴予約装置２０の視聴情報受信手段７は、この通知を受信すると、予約情報作成部１６に対し、コンテンツを指定する情報と中断した位置を通知する。予約情報作成部１６は、指定されたコンテンツの視聴予約情報を予約情報保存部１７から取得し、その中の視聴を開始する位置を、中断した位置に置き換える（Ｓ４０４）。
【手続補正５】
【補正対象書類名】明細書
【補正対象項目名】００６６
【補正方法】変更
【補正の内容】
【００６６】
一方、コンテンツの再生の完了の場合（Ｓ４０２においてＮＯ）、再生装置２４の通信手段８１は、視聴予約装置２０に対し、コンテンツの再生の完了を示す情報と、再生完了したコンテンツを指定する情報と、を通知する（Ｓ４０５）。